(57)【特許請求の範囲】
【請求項１】
業務用炊飯器の炊飯システムにおいて、
個別に洗米、洗浄、及び炊飯ができる炊飯制御が可能な複数の全自動炊飯器と、
冷水と温水を供給する冷水供給管及び温水供給管と、前記複数の全自動炊飯器から洗米した水を排水する排水管と、前記複数の全自動炊飯器に供給される原料が貯蔵される複数の貯蔵ユニットに区画され、前記複数の貯蔵ユニットには、異なる原料が貯蔵されて前記複数の全自動炊飯器の中の一部の全自動炊飯器にのみ特定の原料を供給するように構成された貯蔵部と、を含む共通設備ユニットと、
を含み、
前記複数の全自動炊飯器は前記共通設備ユニットを中心にして前記共通設備ユニットの周囲に配置され、
前記複数の全自動炊飯器はそれぞれ、
本体フレームと、
前記貯蔵部に連結され、前記貯蔵部の原料が供給される原料供給部と、
前記原料が供給され、炊飯され、前記排水管に連結される開閉可能な排水孔を持つ釜と、
前記本体フレームに起立して、前記釜を支持する支持部と、
前記釜の下部に設置され、前記釜を加熱する加熱部と、
前記冷水供給管と前記温水供給管に連結され、前記釜に冷水と温水を供給する冷温水供給部と、
前記釜の上部に配置され、上下に昇降し、回転可能な複数の翼を持つ洗米洗浄プロペラと、を含むことを特徴とする、クラスタ型業務用炊飯システム。
【請求項２】
前記共通設備ユニットは、平面形状が円形または多角形の形状に形成され、前記複数の全自動炊飯器は前記共通設備ユニットの外周面にそれぞれ隣接して一定の間隔で離間して配置されることを特徴とする、請求項１に記載のクラスタ型業務用炊飯システム。
【請求項３】
前記共通設備ユニットは、前記排水管に連結される排水用ポンプをさらに含むことを特徴とする、請求項１に記載のクラスタ型業務用炊飯システム。
【請求項４】
前記釜は下部に形成された前記排水孔を介して前記共通設備ユニットの前記排水管に連結され、前記排水孔は開閉可能に設置されることを特徴とする、請求項１に記載のクラスタ型業務用炊飯システム。
【請求項５】
前記支持部は、前記本体フレームの前方に向かって引き出し可能に前後スライド駆動されることを特徴とする、請求項１に記載のクラスタ型業務用炊飯システム。
【請求項６】
前記洗米洗浄プロペラは、前記釜に原料と冷水及び温水が供給された後、下降して前記翼の回転により前記釜に供給された原料を洗米した後、上昇し、前記釜から炊飯したご飯を引き出した後、再び下降して前記翼の回転により前記釜を洗浄することを特徴とする、請求項１に記載のクラスタ型業務用炊飯システム。
【請求項７】
前記釜の上部に配置され、上下に昇降し、昇降軸から屈曲して取り付けられ、炊飯が完了した前記釜のご飯を攪拌する攪拌へらをさらに含むことを特徴とする、請求項１に記載のクラスタ型業務用炊飯システム。
【発明の詳細な説明】
【技術分野】
【０００１】
本発明は、産業用及び業務用炊飯システムに関するもので、より詳細には、個別に、または連動して駆動される複数の全自動業務用炊飯器をクラスタ型で構成し、共通の冷温水供給ラインと排水ラインを備えて共通的に炊飯はもちろん、選択的及び個別に炊事が可能で、弾力的な運営が可能なクラスタ型産業用及び業務用炊飯システムに関するものである。
【背景技術】
【０００２】
炊飯器とは、通常ご飯を炊くときに使用する電気炊飯器やガス炊飯器などの器具などをいい、本発明では、団体給食（企業、軍事施設、病院、学校、官公庁、ホテル）をする場所に設置され、短い時間で大量のご飯を炊くのに使用する機構を称する。
【０００３】
従来の業務用炊飯システムとしては、炊飯装置の形態が移送されるコンベアの長手方向に沿って長く配置されたインライン方式の炊飯システムが提案されている。
【０００４】
従来のインライン方式の炊飯システムとして、図１に示すように、搬送コンベアを有する連続自動炊飯システムが提案されている。前記の従来技術による自動炊飯システムは、搬送コンベアと、支持アームと、支持機構と、バーナを備え、加熱室には釜を投入する投入口と、釜を持ち出す排出口が形成され、前記加熱室の周りは断熱材を内蔵した化粧板によって覆われ、前記搬送コンベアの搬送路は上部搬送路と下部搬送路で構成され、前記加熱室の天井は前記上部搬送路において釜の上部に近接し搬出口に向かって傾斜し、前記下部搬送路において釜を直線状に搬送しながら、前記バーナからの火炎によって加熱させることにより内容物を沸かし、前記上部搬送路において釜を斜めに上方に搬送しながら前記バーナの炎の余熱を利用し、内容物を蒸らすように構成される。
【０００５】
しかし、従来技術によるインライン方式の業務用炊飯システムにおいては、釜が移送されるコンベアの長手方向に沿って長く配置された形態で構成されるので、広い空間の設置面積を必要とする問題があった。
【０００６】
また、従来のインライン方式の業務用炊飯システムにおいては、加熱室の温度やバーナの温度を個別に制御するのが難しいので、インラインに投入されるすべての釜の炊飯が単一の種類の炊飯のみが可能という問題があった。
【０００７】
また、従来のインライン方式の炊飯システムは、洗浄装置と、炊飯装置が個別に備えられて使用されるので、取り扱い及び保管が面倒である。つまり、洗浄装置によって穀物を洗浄した後、洗浄された穀物を炊飯装置に移して炊飯を炊くようになって取り扱いが面倒であって、これらは体積が大きく、設置面積を多く占めるようになって保管が難しかった、また、これらの価格が高く、それぞれを購入するには経済的負担を与えるなどの問題があった。
【発明の概要】
【発明が解決しようとする課題】
【０００８】
本発明は、上述した従来技術の問題を解決しようとするものであって、本発明の目的は、団体給食などの業務用炊飯器として共通の給排水ラインと貯蔵空間を備えて、大量の炊飯が可能でありながら広い空間の設置面積を必要とせずにコンパクトな設置が可能なクラスタ型業務用炊飯システムを提供することである。
【０００９】
本発明の他の目的は、大量の炊飯が可能でありながら、単一のレシピによる炊飯に限定されずに、それぞれ個別にまたは連動して行うことができる様々なレシピによる炊飯が可能なクラスタ型業務用炊飯システムを提供することである。
【００１０】
また、本発明の他の目的は、クラスタ型業務用炊飯システムに設けられる各々の全自動炊飯器の洗浄と炊飯を釜の移動がなく、容易に実行できるクラスタ型業務用炊飯システムを提供することである。
【課題を解決するための手段】
【００１１】
上述した目的を達成するために、本発明によるクラスタ型業務用炊飯システムは、業務用炊飯器の炊飯システムにおいて、個別に炊飯制御が可能な複数の全自動炊飯器と、前記複数の全自動炊飯器に冷温水及び原料を供給する共通設備ユニットとを含み、前記複数の全自動炊飯器は前記共通設備ユニットを中心にして前記共通設備ユニットの周囲に配置されることを特徴とする。
【００１２】
ここで、前記共通設備ユニットは、前記複数の全自動炊飯器に冷水と温水を供給する冷水供給管及び温水供給管と、前記複数の全自動炊飯器から洗米した水を排水する排水管と、前記冷水供給管と前記温水供給管と前記排水管が設置された設備空間の上部側に配置され、前記複数の全自動炊飯器に供給される原料が貯蔵される貯蔵部とを含むことを特徴とする。
【００１３】
ここで、前記貯蔵部は複数の貯蔵ユニットに区画され、前記複数の貯蔵ユニットは、異なる原料が貯蔵されて前記複数の全自動炊飯器の中の一部の全自動炊飯器にのみ特定の原料を供給するように構成されることを特徴とする。
【００１４】
ここで、前記共通設備ユニットは、平面形状が円形または多角形の形状に形成され、前記複数の全自動炊飯器は前記共通設備ユニットの外周面にそれぞれ隣接して一定の間隔で離間して配置されることを特徴とする。
【００１５】
ここで、前記共通設備ユニットは、前記排水管に連結される排水用ポンプをさらに含むことを特徴とする。
【００１６】
ここで、前記複数の全自動炊飯器はそれぞれ、本体フレームと、前記貯蔵部に連結され、前記貯蔵部の原料が供給される原料供給部と、前記原料が供給され、炊飯する釜と、前記本体フレームに起立して、前記釜を支持する支持部と、前記釜の下部に設置され、前記釜を加熱する加熱部と、前記冷水供給管と前記温水供給管に連結され、前記釜に冷水と温水を供給する冷温水供給部とを含むことを特徴とする。
【００１７】
ここで、前記釜は下部に形成された排水孔を介して前記共通設備ユニットの前記排水管に連結され、前記排水孔は開閉可能に設置されることを特徴とする。
【００１８】
ここで、前記支持部は、前記本体フレームの前方に向かって引き出し可能に前後スライド駆動されることを特徴とする。
【００１９】
ここで、前記釜の上部に配置され、上下に昇降し、回転可能な複数の翼を持つ洗米洗浄プロペラを含むことを特徴とする。
【００２０】
ここで、前記洗米洗浄プロペラは、前記釜に原料と冷水及び温水が供給された後、下降して前記翼の回転により前記釜に供給された原料を洗米した後、上昇し、前記釜から炊飯したご飯を引き出した後、再び下降して前記翼の回転により前記釜を洗浄することを特徴とする。
【００２１】
ここで、前記釜の上部に配置され、上下に昇降し、昇降軸から屈曲して取り付けられ、炊飯が完了した前記釜のご飯を攪拌する攪拌へらをさらに含むことを特徴とする。
【発明の効果】
【００２２】
上述した構成を有する本発明のクラスタ型業務用炊飯システムによれば、複数の炊飯器が共通の空間を中心にクラスタ型で配置され、前記共通の空間を介して給排水設備と貯蔵空間として利用することができるので、大量の炊飯が可能でありながら広い空間の設置面積を必要とせずに、コンパクトな設置が可能なだけではなく、各々の全自動炊飯器で貯蔵空間をなくすことができるので、各々の炊飯器もコンパクトに設置することができる。
【００２３】
また、単一のレシピによる炊飯に限定されずに、各々の炊飯器に個別にまたは連動して行うことができる様々なレシピによる炊飯が可能で、各々の炊飯器のスループットに応じて炊飯システムを拡張したり、弾力的に運営したりすることが可能である。
【００２４】
また、クラスタ型業務用炊飯システムに設けられる各々の全自動炊飯器の洗浄と炊飯を釜の移動がなく、容易に実行できるように構成して、炊飯時の洗浄と炊飯を容易に管理することができる。
【図面の簡単な説明】
【００２５】
【図１】従来技術によるインライン方式の炊飯システムを示す図面である。
【図２】本発明によるクラスタ型業務用炊飯システムを示す図面である。
【図３】本発明によるクラスタ型業務用炊飯システムの共通設備ユニットを示す断面図である。
【図４】本発明によるクラスタ型業務用炊飯システムの隣接する二つの全自動炊飯器を示す図面である。
【図５】本発明によるクラスタ型業務用炊飯システムの全自動炊飯器を示す正面図である。
【図６】本発明によるクラスタ型業務用炊飯システムの全自動炊飯器を示す斜視図である。
【発明を実施するための形態】
【００２６】
以下、添付された図面を参照して、本発明によるクラスタ型業務用炊飯システムに関する実施形態について詳細に説明する。
【００２７】
本発明によるクラスタ型業務用炊飯システムは、例えば企業、軍事施設、病院、学校、官公庁、ホテルなど数百人以上の団体給食をする場所に設置されて、短い時間で大量のご飯を炊くのに使用される。
【００２８】
図２乃至図６に示すように、本発明によるクラスタ型業務用炊飯システム１は、複数の全自動炊飯器２０と、共通設備ユニット１０を含む。
【００２９】
前記共通設備ユニット１０は、平面形状が円形または多角形の形状に形成され、前記複数の全自動炊飯器は前記共通設備ユニットを中心にして前記共通設備ユニットの周囲に配置されて、従来のインライン炊飯システムに比べて狭い設置面積でもコンパクトに設置できるように構成される。
【００３０】
本実施形態において、前記共通設備ユニットは、図２に示すように、平面形状が多角形の形状に形成されたことを例にして、前記共通設備ユニットの多角形の各辺には前記複数の全自動炊飯器がそれぞれ互いに隣接するが一定の間隔で離間して配置されている。
【００３１】
前記共通設備ユニット２０は、前記複数の全自動炊飯器に冷温水及び原料を供給して、前記複数の全自動炊飯器のそれぞれから洗米した水が排水されるように構成される。
【００３２】
前記共通設備ユニット２０は、上部に貯蔵部１１が設けられ、前記貯蔵部の下部に設備空間１３が設けられ、前記設備空間に冷温水管と排水管が設置される。
【００３３】
前記貯蔵部１１は、前記設備空間１３の上部に形成され、上部板１１ａと下部板１１ｂを備えて、その内部に米などの原料を収容するように構成される。
【００３４】
また、前記貯蔵部１１は、前記上部板と前記下部板の間に複数の仕切り１１ｃを備えて、複数の貯蔵ユニット１２ａ、１２ｂ、１２ｃ、１２ｄに区画され、前記複数の貯蔵ユニットには異なる原料が貯蔵されるように構成され、前記複数の全自動炊飯器の中の一部の全自動炊飯器にのみ特定の原料を供給するように構成することができる。
【００３５】
本実施形態において、前記複数の貯蔵ユニットは縦方向に区画された仕切りによって区切られていることを例にしたが、必ずしもこれに限定されず、水平に区画される複数の仕切りで区切られるが、一部の特定の全自動炊飯器にのみ連結されて、特定の原料を一部にのみ供給されるように構成することもできる。
【００３６】
前記貯蔵部１１は、後述する複数の全自動炊飯器の原料供給部２２に連結されて、前記貯蔵部から米や雑穀などの貯蔵された原料が前記全自動炊飯器の原料供給部を介して釜に供給されるように構成される。
【００３７】
前記貯蔵部１１の下部には設備空間１３が備わる。
【００３８】
前記設備空間１３には温水供給管１４と冷水供給管１５と排水管１６が設けられ、前記温水供給管１４と冷水供給管１５と排水管１６は、図２および図３に示すように、前記共通設備ユニットの内側で前記設備空間の下部側に配置される。
【００３９】
前記温水供給管１４は、前記複数の全自動炊飯器の冷温水供給部２６に連結され、前記全自動炊飯器に温水を供給して、前記冷水供給管１５は前記複数の全自動炊飯器の冷温水供給部２６に連結されて冷水を供給する。
【００４０】
前記排水管１６は前記全自動炊飯器の後述する釜に連結され、前記複数の全自動炊飯器から洗米した水を排水するように構成される。前記排水管１６の一側には排水用ポンプ１７が設置されて、前記全自動炊飯器から洗米した水を安定的に排水するように構成することができる。
【００４１】
前記共通設備ユニット１０の周辺には複数の全自動炊飯器２０が配置され、前記複数の全自動炊飯器のそれぞれは、共通的に炊飯が可能であるが、個別に選択的にも炊飯が可能であるよう制御することができる。
【００４２】
前記複数の全自動炊飯器２０のそれぞれは、本体フレーム２１と、原料供給部２２と、加熱部２３と、釜２４と、支持部２５と、冷温水供給部２６を含む。
【００４３】
前記本体フレーム２１は長方形の形状に形成され、前記共通設備ユニット１０の外周面に当接して設けられて、前記本体フレーム２１の前方には複数のゲージ２９とコントロールパネルが設けられることができる。
【００４４】
ここで、前記複数のゲージ２９は、供給される用水の温度を測定する温度センサからの信号が入力されてその値を表示する用水用温度計と、前記加熱部の温度を測定する温度センサからの信号が入力されてその値を表示する加熱部用温度計と、釜の温度を表示する釜用温度計など、必要に応じて複数のセンサを取り付けてその値を表示するように構成することができる。
【００４５】
また、前記コントロールパネルは前記本体フレームの上部または前方に設置することができるが、図４に示すように、互いに隣接する二つの全自動炊飯器の間にコントロールパネル１０ａを設置して、隣接する全自動炊飯器を共通に制御することができるように構成することもできる。
【００４６】
前記原料供給部２２は、前記本体フレーム２１の背面を貫通して、前記共通設備ユニット１０の貯留部１１に連通するように設置されて、前記貯蔵部１１から米や雑穀などの原料を供給することができるように構成される。ここで、前記原料供給部２２は、「□」字の形状のチャンネルで形成され、複数に区画され、それぞれの区画されたチャンネルが前記貯蔵部の複数の貯蔵ユニットにそれぞれ連通するように取付けることができる。
【００４７】
前記原料供給部２２の下部に前記原料が供給され炊飯される釜２４が設けられる。前記釜２４には釜のカバー２４ａがヒンジによって回動して前記釜を開閉可能に設置されて、炊飯時に前記釜の内部圧力を予め設定された圧力に維持されるように構成される。
【００４８】
前記釜２４の下部には排水孔（図示せず）が形成され、前記排水孔は前記共通設備ユニットの前記排水管に連結するように構成される。また、前記排水孔は開閉可能に設置されて、前記釜の内部で洗米したり、前記釜の内部で洗米した原料を炊飯するときは前記排水孔は閉鎖され、炊飯が完了した前記釜を洗浄する際は前記排水孔は開放されて、前記排水孔を介して洗浄水が前記排水管に排水するように構成される。
【００４９】
前記釜２４は支持部２５によって支持される。前記支持部２５は前記本体フレームの底面に起立する支持脚２５ａを有し、前記支持脚２５ａにはＣ字または略Ｃ字の形状に折り曲げた支持部本体２５ｃが設けられる。
【００５０】
前記支持部本体２５ｃの下端曲げ部２５ｄには後述する加熱部２３が安置され、前記支持部本体２５ｃの上端曲げ部２５ｅには前記釜２４が安置される。また、前記支持部本体２５ｃは前記支持脚２５ａに設けられた前後駆動モータ２５によって駆動され、前記本体フレームの前方に向かってスライド移動可能に設置されて、炊飯が完了した重い重量の前記釜２４を安定的に引き出すことができるように構成されている。
【００５１】
前記釜２４の下部には前記釜２４を加熱する加熱部２３が取り付けられる。本実施形態において、前記加熱部２３は誘導ヒータや電気ヒータやガスヒータなどの多様な形態のヒータを用いることができる。
【００５２】
前記釜２４の上部には冷温水供給部２６が設けられる。前記冷温水供給部２６は前記冷水供給管に連結され、前記釜に冷水を供給する冷水供給部２６ａと、前記温水供給管に連結され前記釜に温水を供給する温水供給部２６ｂを備える。
【００５３】
前記釜の上部には洗米洗浄プロペラ２７が設けられる。前記洗米洗浄プロペラ２７は前記本体フレームの上部に設置され、モータによって上下に昇降して、動作時には前記釜の内部に挿入されるよう下降され、非動作時には前記本体フレームの上部側に収容されて待機するように構成される。
【００５４】
前記洗米洗浄プロペラ２７には回転可能な複数の翼が設けられる。
【００５５】
前記洗米洗浄プロペラは、前記釜に原料と冷水及び温水が供給された後下降して、前記翼の回転により前記釜に供給された原料を洗米した後上昇し、前記釜から炊飯したご飯を引き出した後再び下降して、前記翼の回転により前記釜を洗浄するように構成される。
【００５６】
前記洗米洗浄プロペラ２７の近くには攪拌へら２８が取り付けられる。前記攪拌へら２８は前記釜の上部に配置され、上下に昇降するように構成される。
【００５７】
前記攪拌へら２８の先端は前記攪拌へらの昇降軸から内側に屈曲して取り付けられる。前記攪拌へら２８は下降した後回転して、炊飯が完了した前記釜のご飯を容易に攪拌するように構成される。
【００５８】
以上で説明した本発明は、前述した実施形態及び添付された図面によって限定されるものではなく、本発明の技術的思想を逸脱しない範囲内で、いくつかの置換、変形及び変更が可能であることは、本発明が属する技術分野で通常の知識を有する者に明らかであろう。
【符号の説明】
【００５９】
１：クラスタ型業務用炊飯システム
１０：共通設備ユニット
１１：貯蔵部
１２ａ、１２ｂ、１２ｃ、１２ｄ：貯蔵ユニット
１３：設備空間
２０：全自動炊飯器
２１：本体フレーム
２４：釜
２５：支持部
２６：洗米洗浄プロペラ
２８：攪拌へら
【図１】
0006055510.tif 000002
【図２】
0006055510.tif 000003
【図３】
0006055510.tif 000004
【図４】
0006055510.tif 000005
【図５】
0006055510.tif 000006
【図６】
0006055510.tif 000007